(57)【要約】  本発明は、車両用のアンダーラン保護デバイスを移動させる方法に関する。このアンダーラン保護デバイスは、フレーム（３）、可能性のある衝突中の予測された負荷に対応する位置で車両に配置されたインパクト要素（７）、ならびに、フレーム（３）およびインパクト要素（７）を接続する少なくとも１つの変位可能なキャリア要素（６）を備える。少なくとも１つの第１のアクティブ位置と、少なくとも１つの第２のインアクティブ位置との間のインパクト要素（７）が変位している間に、キャリア（６）の長手方向軸に実質的に一致する方向の変位の少なくとも一部が生じる。本発明は、さらに、この方法を実行する配置に関する。
2005512890.tif 000002
【特許請求の範囲】
【請求項１】
フレーム（３）と、
可能性のある衝突中の力からの予測された負荷に対応する位置で車両に配置されたインパクト要素（７）と、
該フレーム（３）および該インパクト要素（７）を接続する少なくとも１つの変位可能なキャリア要素（６）と
を備える車両用のアンダーラン保護デバイスを移動させる方法であって、
少なくとも１つの第１のアクティブ位置と少なくとも１つの第２のインアクティブ位置との間で該インパクト要素（７）が変位する間に、該変位のうちの少なくとも一部が該キャリア（６）の長手方向軸と実質的に一致する方向に生じることを特徴とする、方法。
【請求項２】
前記変位は、回動軸（Ｐ１，Ｐ２，Ｐ３，Ｐ４，Ｐ６）周りの第１の回動運動（Ｒ１，Ｒ２，Ｒ３，Ｒ４，Ｒ６）を含み、前記キャリア（６）の長手方向軸に実質的に一致する方向の第２の変位運動（Ａ１，Ａ２，Ａ３，Ａ４，Ａ６）が続くことを特徴とする、請求項１に記載のアンダーラン保護デバイスを移動させる方法。
【請求項３】
前記運動は、前記キャリア（６）の長手方向軸（Ｘ１）に実質的に一致する方向の第１の変異運動を含み、回動軸（Ｐ１）周りの第２の回動運動（Ｒ１）が続くことを特徴とする、請求項１に記載のアンダーラン保護デバイスを移動させる方法。
【請求項４】
フレーム（３）と、
可能性のある衝突中の力からの予測された負荷に対応する位置で車両に配置されたインパクト要素と、
該フレーム（３）および該インパクト要素（７）を接続する少なくとも１つの変位可能なキャリア要素（６）と
を備える車両（１）用のアンダーラン保護デバイスの配置であって、
該キャリアは、該フレームの取り付けデバイスに移動可能に取り付けられて、少なくとも１つの第１のアクティブ位置と少なくとも１つの第２のインアクティブ位置との間で移動可能であり、該第１の位置と該第２の位置との間における該取り付けデバイスに対する該キャリア（６）の変位の少なくとも一部は、該キャリア（６）の長手方向軸（Ｃ１，Ｘ１，Ｘ２，Ｘ３，Ｘ４，Ｘ５，Ｘ６）に実質的に一致する方向に生じることを特徴とする、配置。
【請求項５】
前記取り付けデバイスは、前記キャリア（６）の運動をガイドする少なくとも１つの第１のガイド手段（８，１１）を備え、該少なくとも１つの第１のガイド手段（８，１１）は、該キャリア（６）の少なくとも１つの共に作動する第２のガイド手段（９，Ｐ３、Ｐ４）と共に作動するように配置されることを特徴とする、請求項４に記載のアンダーラン保護デバイスの配置。
【請求項６】
前記第１のガイド手段および前記第２のガイド手段は、少なくとも１つのガイドピンと、該ガイドと共に作動するガイドスロットとをそれぞれ備えることを特徴とする、請求項５に記載のアンダーラン保護デバイスの配置。
【請求項７】
前記ガイドピンが該ガイドピンの各端部位置（１１ａ，１１ｂ）に位置する場合に、前記キャリア（６）の位置は、該キャリアの前記第１の位置および前記第２の位置に対応することを特徴とする、請求項６に記載のアンダーラン保護デバイスの配置。
【請求項８】
前記取り付けデバイスは、前記キャリアを前記第１の位置から中間の位置へと回動可能にする回動軸（Ｐ１，Ｐ２，Ｐ３，Ｐ４，Ｐ６）の形式の第３のガイド手段を備え、これにより、該キャリアは、該キャリアの長手方向軸（Ｘ１，Ｘ２，Ｘ３、Ｘ４、Ｘ６）に沿って該第２の位置へと変位可能であることを特徴とする、請求項５に記載のアンダーラン保護デバイスの配置。
【請求項９】
前記第１のガイド手段および前記第２のガイド手段は、第１のガイドスロット（１１）および該ガイドスロットと共に作動するガイドピン（Ｓ３、Ｐ４）を備えることを特徴とする、請求項８に記載のアンダーラン保護デバイスの配置。
【請求項１０】
前記回動軸（Ｐ３）は、さらなる第４のガイド手段と共に作動し、該第４のガイド手段は、該キャリア（６）に実質的に直線の第２のスロット（１２）を備えることを特徴とする、請求項９に記載のアンダーラン保護デバイスの配置。
【請求項１１】
前記第１のガイドスロットは、第１の直線セクションと、所定の連続的な曲率を有するカーブセクションとが提供されることを特徴とする、請求項１０に記載のアンダーラン保護デバイスの配置。
【請求項１２】
前記第１のガイドスロットは、所定の連続的な曲率を有する第１のカーブセクションと、第２の直線セクションとが提供されることを特徴とする、請求項１０に記載のアンダーラン保護デバイスの配置。
【請求項１３】
前記第１のガイドスロットは、第１の直線セクションと、所定の連続的な曲率を有する第２のカーブセクションと、第３の直線セクションとが提供されることを特徴とする、請求項１０に記載のアンダーラン保護デバイスの配置。
【請求項１４】
前記カーブセクションは、前記回動ピンが該カーブセクションに位置するときに、前記ガイドピン（Ｓ３）と前記回動軸（Ｓ３）との間の距離に対応する半径（ｒ）を有することを特徴とする、請求項１１〜１３のいずれか１つに記載のアンダーラン保護デバイスの配置。
【請求項１５】
前記回動軸は、ホルダ（１０）が提供され、これにより、前記キャリアは、該ホルダに対して変位可能に取り付けられることを特徴とする、請求項８に記載のアンダーラン保護デバイスの配置。
【請求項１６】
前記ホルダ（１０）は、一対の対向する平行なガイド面の形式のガイド手段が提供され、該ガイド手段は、該キャリアの変位中に、該キャリア（６）の対応するガイド面と共に作動することを特徴とする、請求項１５に記載のアンダーラン保護デバイスの配置。
【請求項１７】
前記取り付けデバイス（Ｆ）は、前記キャリア（６）を回動可能にする回動軸（Ｐ１）の形式の第３のガイド手段を備え、これにより、該キャリアは、該キャリアの長手方向軸（Ｘ１）に沿って前記第１の位置から中間の位置へと変位可能であり、その後、前記第２の位置へと変位可能であることを特徴とする、請求項５に記載のアンダーラン保護デバイスの配置。
【請求項１８】
前記各キャリアは、該キャリアの長手方向軸（Ｘ２）が前記フレーム（１）の長手方向軸に実質的に対応する第２のインアクティブ位置を有することを特徴とする、請求項４〜１７のいずれか１つに記載のアンダーラン保護デバイスの配置。
【請求項１９】
前記インパクト要素（７）は、前記フレームの中心長手方向軸（ＸＬ）に一致する点で、該インパクト要素の主な拡張部に沿って２つのセクション（７’，７’’，７’’’，７ｉｖ）に分割可能であることを特徴とする、請求項１８に記載のアンダーラン保護デバイスの配置。
【請求項２０】
前記インパクト要素の各セクション（７’，７’’，７’’’，７ｉｖ）は、前記各キャリア（６）を通るラインに実質的に一致するさらなる第２の分割点が提供されることを特徴とする、請求項１９に記載のアンダーラン保護デバイスの配置。
【請求項２１】
前記各セクションは、前記第２の分割点に回動可能に取り付けられた内部セクションおよび外部セクションを備え、これにより、該内部セクションは、該外部セクションに実質的に平行な位置へと回動可能であることを特徴とする、請求項２０に記載のアンダーラン保護デバイスの配置。
【請求項２２】
前記各内部セクションは、垂直軸（１８）周りに回動されることを特徴とする、請求項２１に記載のアンダーラン保護デバイスの配置。
【請求項２３】
前記各内部セクション（７ｉｖ）は、前記対応する外部セクション（７’’’）よりも若干小さい断面を有し、これにより、該内部セクションを該外部セクション内へと変位可能にすることを特徴とする、請求項２０に記載のアンダーラン保護デバイスの配置。
【請求項２４】
前記各キャリアは、前記第１のアクティブ位置と前記第２のインアクティブ位置との間で該各キャリアを移動させるアクチュエータが提供されることを特徴とする、請求項４〜２３のいずれか１つに記載のアンダーラン保護デバイスの配置。
【請求項２５】
前記アクチュエータは、電気式、油圧式または気圧式に動作され得ることを特徴とする、請求項２４に記載のアンダーラン保護デバイスの配置。
【請求項２６】
前記各アクチュエータは、第１の端部で前記フレーム（１）に回動可能に接続され、第２の反対の端部で前記キャリア（６）に回動可能に接続されることを特徴とする、請求項２４または２５に記載のアンダーラン保護デバイスの配置。
【請求項２７】
前記各アクチュエータは、第１の端部で前記フレーム（１）に固定して接続され、第２の反対の端部で前記キャリア（６）に回動可能に接続されることを特徴とする、請求項２４または２５に記載のアンダーラン保護デバイスの配置。
【請求項２８】
前記アクチュエータは、特定の所定の条件が満たされるときに、前記第１のアクティブ位置から前記第２のインアクティブ位置へと前記キャリアを自動的に移動させるように配置されることを特徴とする、請求項２４に記載のアンダーラン保護デバイスの配置。
【請求項２９】
１つの条件は、積荷プラットフォ−ムが提供される車両用の傾き機能が作動することであることを特徴とする、請求項２８に記載のアンダーラン保護デバイスの配置。
【請求項３０】
前記アクチュエータは、特定の所定の条件が満たされたときに、前記第２のインアクティブ位置から前記第１のアクティブ位置へと前記キャリアを自動的に移動させるように配置されることを特徴とする、請求項２４に記載のアンダーラン保護デバイスの配置。
【請求項３１】
１つの条件は、前記車両速度が所定の値を越えることであることを特徴とする、請求項３０に記載のアンダーラン保護デバイスの配置。
【請求項３２】
前記車両速度は、所定の期間の間、所定値を越ていることを特徴とする、請求項３０に記載のアンダーラン保護デバイスの配置。
【請求項３３】
前記キャリアは、少なくとも１つのさらなるアクティブ位置にロックされるように配置されることを特徴とする、請求項４〜３２のいずれか１つに記載のアンダーラン保護デバイスの配置。
【請求項３４】
前記キャリアは、少なくとも１つのさらなるインアクティブ位置にロックされるように配置されることを特徴とする、請求項４〜３２のいずれか１つに記載のアンダーラン保護デバイスの配置。
【請求項３５】
前記中間位置は、代わりのインアクティブ位置であるように配置されることを特徴とする、請求項５〜３２のいずれか１つに記載のアンダーラン保護デバイスの配置。
【発明の詳細な説明】
【技術分野】
【０００１】
（技術分野）
本発明は、添付の請求項１の一般的な部分に従うアンダーラン（ｕｎｄｅｒｒｕｎ）保護デバイスを操作する方法に関し、添付の請求項５の一般的な部分に従う車両のアンダーラン保護デバイスのための配置に関する。
【背景技術】
【０００２】
（従来技術の説明）
現在、トラック等の大型車両は、道との隙間を比較的広く取って設計されている。この主な理由の一つは、ラフな地形の上を走行する車両に必要であるからである。車両のフロントでは、道との隙間は、通常、４０〜５０ｃｍの範囲である。
【０００３】
トラックが比較的道との隙間を通常広く取っているという事実は、道路交通安全の点では危険である。この理由は、トラックと通行車両との可能性のある衝突間に、通行車両がトラックのフロントまたはリア部の下に入り、その通行車両が道路の表面と車両のフレームまたは荷物キャリアの下面との間で潰されることである。その結果、トラックのリア部が巨大な力で車両の乗車室に入ることにより、車両の乗客に深刻な怪我を引き起し得る。このタイプのアンダーラン保護デバイスの１つの目的は、車両が衝突する際にフレームとの接触を防ぐことである。
【０００４】
さらなる目的は、アンダーラン保護デバイスによって、衝突している車両の通常の変形ゾーンを利用可能にすることである。
【０００５】
上記の問題を解決するために、異なる解決策が開発されてきた。一方では、トラックのフロントまたはリアセクションをより低くする設計が可能である。例えば、道との隙間を伴うリアセクションが低いため、トラックの下に通行車両が入って、トラックと道路表面との間で潰される空間が無い。しかし、このような解決策とは裏腹に、道との隙間が大きい場合、ラフな地形の上を走行することが容易である。従って、道との隙間を低くすることが多くのタイプのトラックに認められていない。
【０００６】
当該の問題のさらなる解決策は、強化構造の形式の特別なアンダーラン保護デバイス（例えば、トラックのリアセクションに水平に配置されたビーム要素の形状）をトラックに提供することである。このような要素によって、通行車両がトラックのフロントまたはリアセクションの下に入ることを防ぐ。このような構造は、さらにエネルギーを吸収するように配置され得ることにより、その構造は、負荷の下にあるエネルギーを吸収する。これは、可能性のある衝突の際に深刻な怪我をするというリスクを軽減する。
【０００７】
公知のトラックのアンダーラン保護デバイスは、特許文書ＤＥ−Ｃ２−４１  ０３  ７８２に開示されている。このアンダーラン保護デバイスは、トラックのフロントバンパーの下に配置されたショック吸収要素を備えている。このショック吸収要素は、道路表面に対して所定の角度で設定され得る。通行車両との衝突の際に、バンパーは、所定の力で作動される。このことにより、リンク装置がショック吸収要素をある位置に回動させ、通行車両がトラックの下に入ることを防ぐ。
【０００８】
この公知のシステムは基本的に通行車両のアンダーランに対して良好な保護を与えるが、可動部分の数が非常に多いため、不必要に複雑となり、機能を損なう危険性が発生する。さらに、この解決策は、衝突中に制御された様態でエネルギー吸収を制御する可能性を殆ど与えない。
【０００９】
さらなる公知の車両のアンダーラン保護デバイスは、特許文書ＤＤ  ２５９  ８２２から公知である。このシステムは、２つの実質的にＳ型のダンピング要素を開示している。これらのダンピング要素は、変形可能であり、車両のばね取り付け点とアンダーラン保護デバイスとの間に配置されている。このダンピング要素は、力を吸収するために負荷の下で変形する。
【００１０】
さらなる公知の車両用のアンダーラン保護デバイスは、特許文書ＥＰ  ０  ９１７  ９３３に示されている。この文書は、折り畳みセクションを伴う対の負荷伝達要素を有するリアアンダーラン保護デバイスを開示している。このセクションにより、この変形要素が部分的に折り畳むことができる。
【発明の開示】
【発明が解決しようとする課題】
【００１１】
上記の全ての文書は、変形要素が部分的に折り畳むことができるという解決策を示している。これらの公知のアンダーラン保護デバイスに伴う問題は、牽引車と接続するときにそれらのデバイスがフックを妨害し得ること、あるいは、縁または荷積み倉の方向へと後進動作する間にそれらのデバイスが引っかかり得ることである。従って、より大きい道との隙間が必要である場合、牽引者またはそれに類似するものと接続するアンダーラン保護デバイスが完全またはほぼ完全に畳まれ、衝突の際に同時に完全な保護を提供することのできる配置を必要とする。
【課題を解決するための手段】
【００１２】
（発明の開示）
本発明の目的は、安全機能を与え、エネルギー吸収の設定要件を満たし、そして完全またはほぼ完全に折り畳まれ得るトラック用の改善されたアンダーラン保護デバイスを提供することである。上記の目的は、独立請求項１に記載された方法の特徴部、および独立請求項４に記載された配置の特徴部によって達成される。
【００１３】
本発明は、フレームと、可能性のある衝突中の力からの予測された負荷に対応する位置で車両に配置されたインパクト要素と、フレームおよびインパクト要素を接続する少なくとも１つの変位可能なキャリア要素とを備える。インパクト要素は、好ましくはエネルギーを吸収する。本発明のアイデアは、第１のアクティブ位置と第２のインアクティブ位置との間でインパクト要素が変位している間に、その変位の少なくとも一部がキャリー要素の長手方向と実質的に一致する方向で起こることである。
【００１４】
用語「アクティブ位置」は、インパクト要素が、力を吸収する降下した（ｆｏｌｄｅｄ  ｄｏｗｎ）位置にあることを示す。一方、用語「インアクティブ位置」は、完全またはほぼ完全に折り畳まれた位置を示す。
【００１５】
第１の実施形態によると、変位は、回動軸周りの第１の回動運動を含み得、その後、キャリアの長手方向軸と実質的に一致する方向の第２の変位運動が続く。
【００１６】
第２の実施形態によると、変位は、回動軸周りの第１の回動運動を含み得、その後、キャリアの長手方向軸と実質的に一致する方向の第２の変位運動が続く。
【００１７】
本発明はまた、フレームと、可能性のある衝突中の力からの予測された負荷に対応する位置で車両に配置されたインパクト要素と、フレームおよびインパクト要素を接続する接続する少なくとも１つの変位可能なキャリア要素とを備える車両のアンダーラン保護デバイスの配置に関する。この配置は、キャリアがフレームの取り付けデバイスに変位可能に取り付けられて、第１のアクティブ位置と第２のインアクティブ位置との間で変位可能であることによって特徴付けられ、これにより、変位の少なくとも一部がキャリー要素の長手方向と実質的に一致する方向で起こる。
【００１８】
好ましい実施形態によると、このデバイスは、車両のフレームのいずれか一方のサイドにキャリアが提供される。しかし、以下の文章では、本発明による配置は、別のことを述べない限り、車両の一方のサイドのみに関して説明される。
【００１９】
本発明によると、取り付けデバイスは、キャリアの運動を制御する少なくとも１つの第１のガイド手段を備える。この手段は、キャリアに対して少なくとも１つの共に作動する第２のガイド手段と共に作動するように配置されている。
【００２０】
上記の第１の実施形態は、取り付けデバイスが、各第１および第２のガイド手段以外に、第３のガイド手段を備えることにより特徴付けられている。この第３のガイド手段は、キャリアが上記第１の位置から中間位置まで回動可能とする回動軸の形式である。キャリアは、この中間位置から上記第２の位置までキャリアの長手方向軸に沿って変位可能である。最初の回動運動は、車両の主な運動の方向に対して前方または後方になされ得る。この方向は、メカニズム、所望の機能、および、アンダーラン保護デバイスが車両のフロントまたはリアのどちらに位置しているか、に依存する。様々な実施形態が、添付の図面と共に以下で詳細に説明される。
【００２１】
各第１および第２のガイド手段は、好ましくは、第１のガイドスロットと、ガイドスロットと共に作動するガイドとを備える。これらは、例えば、一対の対向する平行ガイド面の間で移動する筒状の突起部を備えてもよい。この場合、ガイドスロットの幅は、突起部の直径に実質的に対応する。好ましい実施形態によると、このガイドは、キャリアに取り付けられるが、ガイドスロットは、フレームに配置されるか、フレームに接続される。
【００２２】
もちろん、キャリアの変位を制御するために、他の配置が可能である。例えば、リッジ（ｒｉｄｇｅ）またはプロフィール（ｐｒｏｆｉｌｅ）の形状の第２のガイド手段と共に作動する一対の回転可能要素またはローラの形状の第１のガイド手段がこのような一対の要素間に配置され得る。
【００２３】
これに対して、回動軸は、キャリアに配置された実質的に直線の第２のガイドスロットを備えるさらなる第４のガイド手段と共に作動し得る。この場合、回動軸は、ガイド手段として用いられ、ガイド手段の直径は、ガイドスロットの幅に実質的に対応する。この実施形態によると、回動軸は、車両のフレームに対して固定して取り付けられることにより、ガイドスロットは、キャリアをこれに対して変位可能にする。
【００２４】
回動運動とキャリアの変位との所望の組み合わせを達成するために、第１のガイドスロットが複数の異なる実施形態を有していてもよい。１つの実施形態によると、第１のガイドスロットは、第１の直線セクションと予め決定された連続した曲率を有するカーブセクションとを有する。代わりの実施形態によると、第１のガイドスロットは、予め決定された連続した曲率を有する第１のカーブセクションと第２の直線セクションとを有する。さらなる代わりの実施形態によると、第１のガイドスロットは、第１の直線セクションと、予め決定された連続した曲率を有する第２のカーブセクションと、第３の直線セクションとを有する。
【００２５】
回動軸がフレームに対して固定して取り付けられた上記の全ての場合、カーブセクションは、ガイドと回動軸との間の距離に対応する半径を有する。この距離は、好ましくは、ガイドがカーブセクションのどの部分に配置されていても回動軸に垂直に計測される。上記の例の特徴的な機能は、キャリアが変位している途中で、第１および第２のガイドスロットの長手方向軸が一致するか平行となっていることである。
【００２６】
第１の実施形態の代わりの実施形態は、取り付けデバイスが、第１および第２の手段に加えてそれぞれ第３のガイド手段を備えることによって特徴付けられている。この第３の手段は、キャリアを上記第１の位置から中間の位置へと回動可能にさせる回動軸を有する。これにより、この回動軸は、フレームの長手方向軸に実質的に沿って上記第２の位置へと変位可能である。最初の回動運動は、車両の運動の主な方向に対して前方または後方になされ得る。この実施形態によると、車両を向くキャリアの端部は、回動軸に直接取り付けられる。フレームに取り付けられた設計、またはフレームに取り付けられた様々な付属品が回動軸の変位可能距離を制限する場合、この軸は、キャリアのさらなる長手方向変位を可能にするホルダが提供され得る。このようなホルダは、以下で説明される。
【００２７】
さらなる代わりの実施形態は、取り付けデバイスが、第１および第２の手段に加えてそれぞれ第３のガイド手段を備えることによって特徴付けられている。この第３の手段は、回動軸に取り付けられたホルダを回動可能にする回動軸を有する。このキャリアは、ホルダによって支えられ、ホルダに対して変位可能である。ホルダは、それぞれ内部ガイド面および外部ガイド面を有する第１のガイド手段を備える。これらの面は、キャリアにあるそれぞれ対応する外部および内部ガイド面を有する第２のガイド手段と共に作動する。内部ガイド面を有するホルダは、外部ガイド面を有するキャリアを部分的にまたは完全に包むように配置され得る。外部ガイド面を有するホルダは、代わりに、内部ガイド面（例えば、キャリア上のローラまたはトラック）と共に作動してもよい。
【００２８】
上記の第３の実施形態によると、取り付けデバイスは、キャリアを回動可能にする回動軸を有する第３のガイド手段を備え得る。この様態で、キャリアは、キャリアの長手方向軸に沿って上記第１の位置から中間位置へと変位可能であり、その後、上記第２の位置へと回動可能である。
【００２９】
さらなる好ましい実施形態によると、回動軸は、実質的に直線の第２のガイドスロットをキャリアに備えるさらなる第４のガイド手段と共に作動し得る。第１のガイドスロットは、好ましくは、フレームに配置されるかフレームに接続され、直線セクション、連続したカーブセクション、または直線セクションとカーブセクションとの組み合わせであり得る。直線セクションを有する上記の例の特徴的な機能は、キャリアが変位している途中で、第１および第２のガイドスロットの長手方向軸が一致もせず、平行にもならないことである。
【００３０】
上記のように、キャリアの運動を制御するために、ガイドとガイドスロットとの組み合わせ以外の他の配置が可能であり、本発明はこれらに制限されない。
【００３１】
上記の実施形態では、キャリアは、インパクト要素の後ろか下でフレームに直接または非常に接近してインパクト要素が位置付けられるインアクティブ位置に変位され得る。
【００３２】
さらに、特定の実施形態は、さらなるインアクティブ位置またはアクティブ位置を装うように配置され得る。例えば、上記の第２の実施形態は、車両の主な運動の方向に対して前方および後方の両方にキャリアを回動可能にするように配置され得る。これにより、インパクト要素は、フレームの下に第１のインアクティブ位置を装ってもよいし、フレームの後ろに第２のインアクティブ位置を装ってもよい。この端部位置は、車両の動作フィールドに応じて選択されてもよいし、特定のタスクを行うためにインパクト要素を折り畳む必要があるかどうかに応じて選択されてもよい。このようなタスクの例は、積荷倉まで後進することであってもよいし、牽引車と接続することであってもよい。さらに、上記の中間の位置、またはアクティブ位置とインアクティブ位置との間の他の位置は、特定の条件で、代わりのインアクティブ位置として利用されてもよい。これらの位置は、部分的に折り畳み位置がタスクを実行可能にするために十分である場合に用いられ得る。
【００３３】
車両を異なる市場に適用させるための事例として、さらなるアクティブ位置が可能である。なぜなら、インパクト要素の道との隙間の法規制は、国によって様々であり得るからである。フロントアンダーラン保護デバイスのインパクト要素がスポイラー用の取り付け点として用いられる場合、異なるアクティブ位置は、異なる速度におけるスポイラーの道との隙間を制御するために用いられ得る。当然、この要素の上部位置および下部位置は、当該の国のその時の法律に従わなければならない。
【００３４】
代わりの実施形態によると、キャリアは、第２のインアクティブ位置に位置付けられ得る。この位置において、インパクト要素を含む各キャリアは、上記キャリアの長さ全体に沿うフレームのあるセクションに沿って配置されて、かつ実質的に平行である。
【００３５】
フレーム中心の長手方向軸に一致する点で、インパクト要素の主な長手方向に沿ってインパクト要素を２つのセクションに分割可能にすることによってこのことが達成される。
【００３６】
インパクト要素の分割は、各キャリアを通るラインに実質的に一致するさらなる第２の分割点を各セクションに提供することによって達成され得る。各セクションは、第２の分割点で回動可能に接続される内部部分および外部部分を備える。これにより、内部部分は、外部部分に完全にまたは実質的に平行なある位置に折り畳まれ得る。内部部分は、好ましくは、垂直軸周りに折り畳まれてもよい。
【００３７】
あるいは、それぞれのセクションは、外部部分よりもいくらか小さい断面を有する内部部分を提供して、内部部分を外部部分の内部へと振り出し式に変位可能にすることによって、分割されてもよい。
【００３８】
この様態で、いずれか１つのキャリアまたは両方のキャリアがキャリアの各インパクト要素と共に折り畳まれることが可能である。なぜなら、この配置によって、キャリアが一度に変位可能であるからである。
【００３９】
キャリアは、第１のアクティブ位置と第２のインアクティブ位置との間でこれらを移動させるために、手動で、またはアクチュエータによって操作され得、逆もまた成り立つ。アクチュエータは、従来の電気式、油圧式または気圧式シリンダあるいはモータを有し得る。これらは、両方のキャリアを同時に操作するためにフレームの一方のサイドに配置されてもよく、キャリアを同時にまたはそれぞれに操作するためにフレームの両サイドに配置されてもよい。油圧式または気圧式シリンダを備えたアクチュエータは、好ましくは、第１の端部で回動可能にまたは固定してフレームに取り付けられ、第２の反対の端部でキャリアに回動可能に取り付けられる。
【００４０】
アクチュエータは、また、特定の所定の条件が満たされるとき、第１のアクティブ位置から第２のインアクティブ位置へと自動的にキャリアを移動させるように配置され得る。１つのこのような条件とは、対空砲を備えた車両の傾き関数が作動することであってもよい。従って、アンダーラン保護デバイスは、傾いている荷積みプラットフォーム、または滑り落ちる土壌充填材料を邪魔しないように折り畳まれ得る。
【００４１】
対応する様態で、特定の所定の条件が満たされるとき、第２のインアクティブ位置から第１のアクティブ位置へと自動的にキャリアを移動させるように配置され得る。１つのこのような条件とは、車両速度が所定の値を越えていることであり得る。アンダーラン保護デバイスが折り畳まれて、道との隙間をより広くする必要のある建設現場での走行を可能にする場合、現場を離れたときに運転手がアンダーラン保護デバイスを降ろし忘れ得るという危険性がある。速度に対して適切な制限値を選択することによって、あるいは、ある期間（この期間、速度は制限値を越えていなければならない）と組み合わせて選択することによって、アンダーラン保護デバイスは、アクチュエータの自動アクチュエーションにより、そのアクティブ位置を回復し得る。これらおよび他の所望の条件は、車両に存在する中央制御ユニットにプログラミングされ得る。
【００４２】
このデバイスが手動で操作される場合、メカニズムは、いくつかの形式で、少なくとも各端部位置においてラッチが提供されるべきである。
【００４３】
以下の文章において、本発明は、添付の概略的な図面を参照して、数多くの実施形態に関連して説明される。
【発明を実施するための最良の形態】
【００４４】
（発明を実施するモード）
図１は、本発明による第１の実施形態の側面図である。ここで、車両のフレーム（フレーム１が少なくとも１つの長手方向セクション２，３（１つのみが示される）、およびリア横方向セクション４を有する）にアンダーラン保護デバイスが提供されている。この図では、アンダーラン保護デバイスは、畳まれたアクティブ位置で示されている。この場合、このアンダーラン保護デバイスは、牽引車用のカプリング（このカプリングは、フレームの下に取り付けられる）へのアクセスを防ぎ、車両の道との隙間を減少させ得る。以下の文章中では、アンダーラン保護デバイスの図は、別のことを述べない限り、フレーム２の一方のサイドのみに関して説明される。方向を示すための全ての矢印は、車両の動きの主な方向で与えられる。このアンダーラン保護デバイスは、横方向インパクト要素７が設けられた。このインパクト要素７は、少なくとも２つのキャリア６に取り付けられ、フレームのいずれかのサイドに配置されて、フレーム１の若干後ろで、かつフレーム１の下に位置付けられる。
【００４５】
図２は、本発明の第２の実施形態の側面図を示す。この実施形態に従って、取り付けデバイスＦは、取り付けデバイスに対して回動軸Ｐの周りに回動可能なホルダ１０が提供される。キャリア６は、ホルダ１０に対して変位可能であり、ホルダ１０は、キャリア６を包むガイド面を備えて、キャリア上の対応するガイド面と共に動作する。この図は、そのアクティブ位置におけるインパクト要素を示す。
【００４６】
上記のガイド面は、本出願明細書では詳細に説明されない。これらの面は、好ましくは、共に動作する平坦または切り出し（ｐｒｏｆｉｌｅｄ）面またはガイドを有してもよく、あるいは、共に動作するガイドに沿って走る多くの筒状または切り出しローラを有していてもよい。ガイドする部分またはガイドされる部分のそれぞれのガイド面は、互いに向き合って配置されてもよいし、互いに逆を向いて配置されてもよい。逆もまた成り立ってもよい。
【００４７】
図２は、上記の第１の実施形態によるアンダーラン保護デバイスを折り畳む第１の方法を示す。この方法に従うと、キャリア６は、最初に、図１に示すように、そのアクティブ位置から上方かつ後方に（矢印Ｒ１で示されるように）実質的に水平な位置に対応する中間の位置へと回動される。キャリア６は、インパクト要素７がフレーム１のリアセクション４と接触するまで、この中間の位置からフレーム１に対して前方に（矢印Ａ１に示されるように）変位される。このアンダーラン保護デバイスは、その後、インアクティブ位置の状態となる。アンダーラン保護デバイスのアクティブ位置へと畳むことは、逆の順序で行われる。
【００４８】
図３は、上記の第１の実施形態によるアンダーラン保護デバイスを折り畳む第２の方法を示す。この方法によると、キャリア６は、最初に、図１に示すように、そのアクティブ位置から前方かつ上方に（矢印Ｒ２で示されるように）、キャリアがフレーム１の下で斜めに角度を有する位置を装う中間の位置へと回動される。キャリア６は、インパクト要素がフレーム１の下面と接触するまで、この中間の位置からフレーム１に対して斜め後方かつ上方に（矢印Ａ２で示されるように）変位される。このアンダーラン保護デバイスは、その後、インアクティブ位置の状態となる。フレームの長手方向軸に対するキャリア６の角度は、インパクト要素７から離れたキャリア６の第１の端部６ａがフレーム１の上限面またはリア限界面のいずれかを通過して越えないように、選択される。このアンダーラン保護デバイスは、その後、インアクティブ位置の状態となる。
【００４９】
図２および３の実施形態は、インパクト要素がいずれかの方向に畳まれることが可能となるように組み合わせれ得る。このように、運転手は、車両がどのように用いられるか、または、どのようなアクションを運転手が行おうとするかに応じて、インアクティブ位置を選択し得る。牽引車と接続するために、キャリア６を図２に示される位置に畳むことが十分であり得る。一方、図３に示される位置は、車両が荷積み倉または同様のものへと後進し続けることを可能にするために必要とされ得る。
【００５０】
図４は、上記第１の実施形態によるアンダーラン保護デバイスを畳む第３の方法を示す。この方法によると、フレームの長手方向セクション２は、第１のガイドスロット１１の形式で第１のガイド手段が提供される。このガイドスロット１１は、インパクト要素７から離れたキャリア６の第１の端部６ａにおいてキャリアに取り付けられたピンＳ３の形式で第２のガイド手段と共に作動する。フレームの長手方向セクション２は、回動軸Ｐ３の形式で第３のガイド手段も提供される。この第３のガイド手段は、キャリア６の回動点である。この回動軸Ｐ３は、実質的に直線の第２のガイドスロット１２を備えた第４のガイド手段と共に作動する。図４は、アンダーラン保護デバイスが畳まれたアクティブ位置にあるアンダーラン保護デバイスを示す。そのインアクティブ位置に移動する場合、キャリア６は、回動軸Ｐ３周りに上方かつ後方に（矢印Ｒ３に示されるように）実質的に水平な位置に対応する中間の位置まで回動される。この回転の間、ピンＳ３は、第１のガイドスロット１１のカーブセクションを通って第１の端部位置１１ａから移動する。カーブセクションの半径ｒは、回動軸Ｐ３とピンＳ３との間の距離の対応する。このキャリアは、インパクト要素７がフレーム１のリアセクション４と接触するまで、フレームの長手方向セクション２に平行に、第２のガイドスロット１２の長手方向軸Ｘ３に沿って変位され得る。この移動中に、ピンＳ３は、第１のガイドスロット１１の直線セクションを通って第２の端部位置１１ｂへと（矢印Ａ３に示されるように）変位される。同時に、キャリア６のガイドスロット１２は、回動軸に対して変位される。変位している間に、第１のガイドスロット１１の直線セクションの長手方向軸ＸＡは、第２のガイドスロット１２の軸Ｘ３と一致する。その後、アンダーラン保護デバイスは、インアクティブ位置の状態となる。
【００５１】
図４のガイドスロット１１は、もちろん、本発明の範囲内で他の形状が与えられ得る。例えば、ガイドスロットは、キャリアの方向に第１の直線部分が与えられて、次に第２のカーブ部分が与えられて、最後に上記のように直線で水平のセクションが与えられてもよい。キャリアをキャリアのインアクティブな位置にロックするために、第２の位置に隣接する短い垂直のセクションを最後の直線セクションに与えることも可能である。
【００５２】
図５は、上記の第２の実施形態によるアンダーラン保護デバイスを折り畳む第４の方法を示す。この方法によると、キャリア６は、最初に、キャリアのアクティブ位置から後方かつ上方に（矢印Ｒ４で示されるように）実質的に水平な位置に対応する中間の位置へと回動される。この回転は、キャリア６に取り付けられた回動軸Ｐ４周りで起こる。キャリア６は、インパクト要素７がフレーム１のリアセクション４と接触するまで、中間の位置からフレーム１に対して前方に（矢印Ａ４で示されるように）変位される。この移動中に、回動軸Ｐ４は、フレームの長手方向セクション２のガイドスロット１１内で第１の端部位置１１ａから第２の端部位置１１ｂへと変位される。このガイドスロットは、長手方向軸ＸＢを有する直線セクションを備える。この長手方向軸ＸＢは、キャリアが変位している間にキャリアの長手方向軸Ｘ４と一致する。その後、アンダーラン保護デバイスは、そのインアクティブ位置の状態になる。
【００５３】
図５に従う実施形態のバージョンは、また、図３と関連して説明されるように、折り畳まれてもよい。この場合、キャリアは、中間の位置へ前方へと回転される。この場合、キャリアの長手方向軸は、図３に示されるようにフレームに対して実質的に同じ角度を装う。この中間の位置では、キャリアの長手方向軸は、フレームの長手方向セクション内のガイドスロットの長手方向軸に一致する。これにより、キャリアは、インパクト要素がフレームの下面と接触するまで、上方へ斜めに変位され得る。
【００５４】
特定の状態下において、運転手が折り畳み動作を生じるアクションを実行可能にするために、上記の中間の位置へと折り畳むことは十分である。このような場合、中間の位置は、代わりのインアクティブ位置である。いずれの形式のアクチュエータが用いられる場合も、キャリア６は、折り畳み動作を引き起こすことに依存して、さらなるインアクティブ位置にロックされ得る。
【００５５】
さらに、本発明の第３の実施形態が図２によって図示され得る。この方法によると、キャリア６は、図１に示されるように、最初に、フレーム１に対して斜め前方かつ上方に（矢印Ａ１によって示されたように）キャリアのアクティブ位置から中間の位置に変位される。キャリアは、インパクト要素がフレーム１のリアセクション４に対して実質的に水平の位置に達するまで、後方かつ上方に（矢印Ｒ１によって示されるように）この中間の位置から回動される。その後、アンダーラン保護デバイスは、そのインアクティブ位置の状態である。
【００５６】
この第３の実施形態は、また、ガイドする手段およびガイドスリットによって達成されてもよい。１つのこのような解決策（図示せず）は、図４と共に説明されるように、ガイドスロットを伴うキャリアを備える。このガイドスロットは、キャリアの第１の端部近くに配置され、フレームに取り付けられた回動軸と共に作動する。このキャリアの第１の端部の外部は、また、ガイドが提供され、このガイドは、フレームに配置されたガイドスロットと共に作動する。この実施形態と図４による実施形態との主な差は、フレームのガイドスロットの形状である。このスロットは、キャリアと同じ方向を有する第１の直線セクション、および、前方かつ下方にカーブした第２のセクションを備える。
【００５７】
図６は、本発明によるアンダーラン保護デバイスが提供された車両フレームの斜視図を示す。車両のフレーム１は、２つのビーム２，３を備え、それらのリア端部は、横方向ビームの形式のリアセクション４によって接続される。取り付けデバイスＦは、それぞれのビーム２，３の外部サイドに取り付けられる。取り付けデバイスＦは、それぞれキャリア６’，６’’が提供される。それらのキャリアは、横方向インパクト要素７によって接続される。各キャリア６’，６’’は、各取り付けデバイスに取り付けされた回動軸Ｐ６の形式の回動点周りに回動可能である。キャリア６’，６’’は、また、ガイドスロット１２が提供される。このガイドスロット１２内に、回動軸Ｐ６が配置される。ガイドスロット１２は、２つの平行な直線面および一対の半円の端部面を有する閉じたプロファイルの形状を有する。取り付けデバイスＦは、また、一対の第１のブロックデバイス１３および第２のブロックデバイス１４が、それぞれボルトまたは類似の形式で提供され、キャリア６のそれぞれのアクティブおよびインアクティブ位置を規定する。
【００５８】
取り付けデバイスＦ自体は、キャリア６’，６’’のいずれかのサイドに取り付けられた２つの平行板を備える。回動軸Ｐ６およびブロックデバイス１３、１４は、デバイスを通して取り付けられ、また、上記の板用のスペーサとして作動する。この外部板は、保護カバーとして作動し、一方で、この保護カバーは、泥および様々な鋭い（ｐｅｎｅｔｒａｔｉｎｇ）物体から保護し、他方では、オペレータが怪我をするリスクを最小化する。
【００５９】
図７は、上方に畳まれた、インアクティブ位置のアンダーラン保護デバイスを示す。キャリア６’，６’’は、後方かつ上方に回動軸Ｐ６周りに実質的に水平な位置まで回動されている。これにより、キャリア６’，６’’は、実質的にビーム２，３に沿って配置されている。この変位は、ガイドスロット１２の長さによって制限され、キャリアの端部が第２のブロックデバイス１４と接触するときに、動きを拘束するように配置される。この様態で、インパクト要素７は、フレーム１のリアセクション４、および車両のリアランプの電子機器に隣接して配置されているが、接触はしない。
【００６０】
図８は、取り付けデバイスＦを通る断面図を示す。キャリア６’は、実線ではそのアクティブ位置が示され、破線ではそのインアクティブ位置が示される。最初に、インパクト要素７から離れたキャリアの端部は、実質的に上方を向く接触面１７を有する突起部１６が提供される。この接触面１７は、上記のアクティブ位置では、第１のブロックデバイス１３と接触する。キャリア６’がキャリア６’の水平位置へと回動されるとき、その突起部１６は、半径ｒで記載されたカーブに沿って移動される。これにより、突起部１６は、第２のブロックデバイス１４を迂回する。その後、キャリア６’は、実質的に水平に前方へと変位される。これにより、ガイドスロット１２は、回動軸Ｐ６に対してスロット全体の長さに沿って変位される。同時に、ガイドスロット１２の端部は、回動軸Ｐ６に達し、突起部１６の接触面１７は、第２のブロックデバイス１４に接触する。その後、キャリア６’は、そのインアクティブ位置でロックされる。
【００６１】
図９は、概略的に図示された車両に取り付けられた折り畳み式アンダーラン保護デバイスを示す。道との隙間の差が図示されており、ここで、高さＨ１は、デバイスのアクティブ位置を表し、高さＨ２は、インアクティブな、折り畳まれた位置を表す。
【００６２】
図１０は、本発明のさらなる実施形態を示す。この実施形態により、アンダーラン保護デバイスは、代わりの第２のインアクティブ位置まで折り畳むことができる。キャリア６を折り畳む主な機能は、上記の図３と共に説明されている。図１０に示されるように、このさらなる実施形態と前述された実施形態との差は、インパクト要素もフレームのビーム２，３に沿って配置され得る様態で、キャリア６が実質的に水平な位置へと折り畳まれ得ることである。
【００６３】
図１１および図１２は、分割可能なインパクト要素の２つの異なる実施形態の平面図を示す。図１２は、横方向インパクト要素７が車両の中心長手方向軸ＸＬと一致する点で２つのセクションに分割され得る第１の実施形態である。各セクションは、上記長手方向軸ＸＬに対してそれぞれ、外部セクション７’および内部セクション７’’を備えている。２つのセクションは、ヒンジの形式で垂直に取り付けられたジョイント１８を介して接続される。キャリアがそれらのインアクティブな位置へと折り畳まれる前に、インパクト要素の２つのセクション間のキャッチ（図示せず）が解放される。これにより、内部セクション７’’は、矢印Ｒ７に示された方向に折り畳まれ得る。この内部セクション７’’は、外部セクション７’に実質的に平行な位置に達するまで回動される。この位置で、インパクト要素の両方のセクション７’，７’’、およびジョイント１８は、ビーム２，３の外部サイド面に一致する平面に隣接して配置されるが、接触はしない。この２つのセクション７’，７’’は、インアクティブ位置へと折り畳む間に適切なロッキングデバイスによって共に保持される。
【００６４】
インパクト要素がその折り畳み位置にあるときにセクションの一部が折り畳まれるので、垂直軸は、内部セクションが垂直軸周りに（あるいは、水平軸周りに）反対方向に回動されるように設置され得る。
【００６５】
図１１は、横方向の実施形態７中心長手方向軸ＸＬと一致する点で２つのセクションに分割可能な第２の実施形態である。各セクションは、上記長手方向軸ＸＬに対してそれぞれ、外部セクション７’’’および内部セクション７ｉｖを備えている。２つのセクションは、振り出し式に移動可能であるように配置される。つまり、内部セクションの断面は、外部セクションの断面よりも小さい。内部セクション７ｉｖのプロファイルは、外部セクション７’’’のプロファイルに実質的に同一である外形プロファイルを有するべきである。上記されるように、インパクト要素の両セクション７’’’，７ｉｖは、ビーム２，３の外部サイド面に一致する平面に隣接して配置される（しかし、接触しない）内部端部面を有する。同様に、２つのセクション７’，７’’は、インアクティブ位置へと折り畳む間に適切なロッキングデバイスによって共に保持される。
【００６６】
図１０〜１２は、図３の実施形態に関連して説明されてきたが、その解決策は、上記の全ての実施形態に有利に適用され得る。
【００６７】
上記の実施例では、アンダーラン保護デバイスの折り畳みは、原則として、アクティブ位置からインアクティブ位置へと折り畳むときを説明してきた。アクティブ位置を取り戻すために、逆の順序で移動が行われる。上記の実施形態は、主に、異なるガイドおよびメカニズムの機能を図示することを意図している。実際、いくつかの実施形態は、様々な部品の動きの方向を制御するために、１つ以上のストップピンまたはストップボルトを必要とする。これは、少なくともキャリアの端部位置でキャリアがロックされ得ることを必要とする手動折り畳み式デバイスの場合に特にあてはまる。
【００６８】
上記の実施形態は、主に、車両のリア部用のアンダーラン保護デバイスに関する。道との隙間を減少させることに関する問題は、いくつかの形式でアンダーラン保護デバイスが提供される車両のフロントにおいても生じ得る。従って、本発明を車両のフロントに適用することも可能である。
【００６９】
上記の全ての実施例において、キャリアを折り畳むことは、手動で、またはいくつかの形式のアクチュエータによってなされ得る。このタイプのアンダーラン保護デバイスが比較的重く、一人で取り扱うことが難しいであろうことを考慮すると、第１のアクティブ位置から第２のインアクティブ位置へとそれらのアンダーラン保護デバイスを移動させるためには、アクチュエータが用いられ得る。このアクチュエータは、車両にどのようなパワー源が利用可能であるかに応じて、電気式、油圧式または気圧式であり得る。車両外部の制御デバイス、または、ダッシュボードのスイッチによって制御が達成され得る。
【００７０】
大部分の実施形態において、このアクチュエータは、好ましくは、第１の端部でフレームに回動可能に接続され、第２の反対の端部でキャリアに回動可能に接続される。回転と変位を同時に行うことを可能にする実施形態では、特定の場合に、フレームに固定されて取り付けられたアクチュエータが提供され得る。１つのこのような実施例は、図３のデバイスの改変である。この場合、キャリアの第１の端部６ａに装着された固定のは水平取り付け油圧式または気圧式シリンダは、回動軸Ｐ２周りの連続的な回転でホルダ１０に対してキャリア６を変位させることによって、所望の折り畳み運動を達成し得る。キャリアを同時または別々に操作するために、フレームの両サイドにアクチュエータを設置することが可能である。あるいは、同時にキャリアを操作するために、アクチュエータは、フレームの一方のサイド、またはビーム間に設置され得る。
【００７１】
このタイプのアクチュエータはまた、キャリアおよびキャリアのインパクト要素を少なくとも１つのアクティブ位置および少なくとも１つのインアクティブ位置に、それぞれ配置させることも可能である。最初の場合、インパクト要素の道との隙間は、異なる国におけるその時の法律に調節され得る。後者の場合、数多くのインアクティブ位置は、インパクト要素を異なる状況に必要とされる程度のみ折り畳むことを可能とする。
【００７２】
アクチュエータは、また、特定の所定の条件が満たされた場合、第１のアクティブ位置から第２のインアクティブ位置へと自動的にキャリアを移動させるように配置され得る。１つのこのような条件とは、対空砲を備えた車両の傾き関数が作動することであってもよい。アンダーラン保護デバイスは、邪魔にならないように、または、盛土または岩を降ろすときに破損しないように折り畳まれ得る。あるいは、牽引車とトラクター車両とを接続するために、車両が荷積み倉または牽引車の方向へ後進していることをセンサまたはトランスポンダが感知する場合に、折り畳まれ得る。
【００７３】
対応する様態で、アクチュエータは、特定の所定の条件が満たされた場合、第２のインアクティブ位置から第１のアクティブ位置へと自動的にキャリアを移動させるように配置され得る。１つのこのような条件とは、車両速度が所定の値を越える場合であってもよい。一時的に設定速度を越えるときにアクティブ位置のアクチュエーションを避けるために、この条件は、一定期間を含む第２の条件と結びつけられ得る。その結果、自動的なアクチュエーションは、所定の期間だけ所定の速度値を越えている場合、あるいは、より早い第２の速度を越える場合のみに起こる。例えば、すなわち、車両速度が３０秒間３０ｋｍ／ｈを越えた場合に、車両速度が５０ｋｍ／ｈを越えた場合すぐに、あるいは、車両が６０秒以上の期間移動していた場合、アンダーラン保護デバイスがアクチュエートされることを想定してもよい。
【００７４】
このような仮定は、車両を使用するフィールドに基づいて、中央制御ユニットにプログラムされ得る。複数の使用フィールドを有する車両は、数多くの異なる戦略が提供され得る。これらの戦略は、運転手によって選択され得、または、使用フィールドを変更するときに車両に予め設定された調節に自動的に依存し得る。しかし、運転手は、常に、手動でシステムより優位に立つ可能性を有しているべきである。
【図面の簡単な説明】
【００７５】
【図１】図１は、本発明の第２の実施形態の側面図を示し、アンダーラン保護デバイスはアクティブ位置にある。
【図２】図２は、本発明の第２の実施形態の側面図を示し、アンダーラン保護デバイスはインアクティブ位置にある。
【図３】図３は、本発明の第２の実施形態の第２のバージョンの側面図を示し、アンダーラン保護デバイスはインアクティブ位置にある。
【図４】図４は、本発明の第２の実施形態の第３のバージョンの側面図を示し、アンダーラン保護デバイスはアクティブ位置にある。
【図５】図５は、本発明の第２の実施形態の第４のバージョンの側面図を示し、アンダーラン保護デバイスはアクティブ位置にある。
【図６】図６は、アクティブ位置のアンダーラン保護デバイスを提供されたフレームの斜視図である。
【図７】図７は、インアクティブ位置のアンダーラン保護デバイスを提供されたフレームの斜視図である。
【図８】図８は、アンダーラン保護デバイスの取り付けデバイスを通る断面図を示す、アクティブ位置とインアクティブ位置の両方が示されている。
【図９】図９は、本発明に従うアンダーラン保護デバイスを提供されたフレームの側面図を示す。
【図１０】図１０は、本発明に従うさらなる実施形態の側面図を示し、アンダーラン保護デバイスはインアクティブ位置に設置されている。
【図１１】図１１は、本発明に従う分割インパクト要素の第１の実施形態の平面図である。
【図１２】図１２は、本発明に従う分割インパクト要素の第２の実施形態の平面図である。
【図１】
2005512890.tif 000003
【図２】
2005512890.tif 000004
【図３】
2005512890.tif 000005
【図４】
2005512890.tif 000006
【図５】
2005512890.tif 000007
【図６】
2005512890.tif 000008
【図７】
2005512890.tif 000009
【図８】
2005512890.tif 000010
【図９】
2005512890.tif 000011
【図１０】
2005512890.tif 000012
【図１１】
2005512890.tif 000013
【図１２】
2005512890.tif 000014
【国際調査報告】
2005512890.tif 000015
2005512890.tif 000016